(57)【要約】      （修正有）【課題】ユーザの満足度がより高くなる歯ブラシをユーザに提供できる歯ブラシの製造方法、および、歯ブラシの提供方法を提供する。【解決手段】歯ブラシの製造方法は透明材料によって構成される歯ブラシのグリップに印刷する印刷層のデザインの原案を設定する媒体を対象者に提供する媒体提供工程Ｓ１１と、原案が設定された前記媒体を前記対象者から受け取る媒体受取工程Ｓ１２と、媒体に設定された印刷層のデザインを歯ブラシのグリップに印刷する印刷工程Ｓ１３とを含む。【選択図】図６
2020000711.tif 000002
【特許請求の範囲】
【請求項１】
透明材料によって構成される歯ブラシのグリップに印刷する印刷層のデザインの原案を設定する媒体を対象者に提供する媒体提供工程と、
前記原案が設定された前記媒体を前記対象者から受け取る媒体受取工程と、
前記媒体に設定された前記印刷層のデザインを前記歯ブラシの前記グリップに印刷する印刷工程とを含む
歯ブラシの製造方法。
【請求項２】
前記媒体提供工程では、前記媒体である用紙を前記対象者に提供する
請求項１に記載の歯ブラシの製造方法。
【請求項３】
前記媒体には前記原案を設定する範囲を規定する枠が表示される
請求項１または２に記載の歯ブラシの製造方法。
【請求項４】
前記枠の形状は前記歯ブラシの前記グリップの被印刷面の形状に対応する長方形である
請求項３に記載の歯ブラシの製造方法。
【請求項５】
前記枠はデザインテンプレートを含む
請求項３または４に記載の歯ブラシの製造方法。
【請求項６】
前記媒体提供工程では、複数の異なる前記デザインテンプレートから前記対象者が任意のデザインテンプレートを選択する
請求項５に記載の歯ブラシの製造方法。
【請求項７】
前記印刷工程ではイメージスキャナを用いて前記媒体に設定された前記原案を静止画像情報に変換したのちに、プリンタを用いて前記静止画像情報に含まれる前記デザインを前記歯ブラシの前記グリップに印刷する
請求項１〜６のいずれか一項に記載の歯ブラシの製造方法。
【請求項８】
前記印刷層は内層、中間層、および、外層を含み、
前記印刷工程では、反転した前記静止画像情報に含まれる前記デザインを前記プリンタを用いて前記印刷層のうちの前記内層のみに印刷する
請求項７に記載の歯ブラシの製造方法。
【請求項９】
前記印刷工程では、前記媒体の前記枠の外に設定された情報を前記静止画像情報への変換対象から外す
請求項３を引用する請求項７または８に記載の歯ブラシの製造方法。
【請求項１０】
請求項１〜９のいずれか一項に記載の歯ブラシの製造方法によって製造された歯ブラシと、
前記媒体、および、前記原案を記録する別の媒体の少なくとも一方を前記対象者に提供する
歯ブラシの提供方法。
【発明の詳細な説明】
【技術分野】
【０００１】
本発明は歯ブラシの製造方法、および、歯ブラシの提供方法に関する。
【背景技術】
【０００２】
グリップに印刷層が設けられる歯ブラシが知られている。例えば、特許文献１は柄の背面に設けられる印刷部(１００)を備える歯ブラシ(１０)を開示している。
【先行技術文献】
【特許文献】
【０００３】
【特許文献１】特許第５９７８４５０号
【発明の概要】
【発明が解決しようとする課題】
【０００４】
歯ブラシのグリップに印刷される印刷層のデザインが歯ブラシを所有するユーザの満足度に影響を及ぼすことがある。ユーザの満足度がより高くなる歯ブラシをユーザに提供できることが好ましい。
【課題を解決するための手段】
【０００５】
(１)本発明に関する歯ブラシの製造方法は透明材料によって構成される歯ブラシのグリップに印刷する印刷層のデザインの原案を設定する媒体を対象者に提供する媒体提供工程と、前記原案が設定された前記媒体を前記対象者から受け取る媒体受取工程と、前記媒体に設定された前記印刷層のデザインを前記歯ブラシの前記グリップに印刷する印刷工程とを含む。
上記歯ブラシの製造方法によれば、オリジナリティを有する歯ブラシを製造できる。このため、ユーザの満足度がより高くなる歯ブラシをユーザに提供できる。
【０００６】
(２)好ましい例では(１)に記載の歯ブラシの製造方法において、前記媒体提供工程では、前記媒体である用紙を前記対象者に提供する。
このため、印刷層のデザインの原案を容易に設定できる。
【０００７】
(３)好ましい例では(１)または(２)に記載の歯ブラシの製造方法において、前記媒体には前記原案を設定する範囲を規定する枠が表示される。
このため、対象者が印刷層のデザインの原案を設定できる領域を容易に把握できる。
【０００８】
(４)好ましい例では(３)に記載の歯ブラシの製造方法において、前記枠の形状は前記歯ブラシの前記グリップの被印刷面の形状に対応する長方形である。
このため、印刷層のデザインの原案がグリップに印刷された状態を対象者が容易にイメージできる。
【０００９】
(５)好ましい例では(３)または(４)に記載の歯ブラシの製造方法において、前記枠はデザインテンプレートを含む。
このため、容易にデザインを設定できる。
【００１０】
(６)好ましい例では(５)に記載の歯ブラシの製造方法において、前記媒体提供工程では、複数の異なる前記デザインテンプレートから前記対象者が任意のデザインテンプレートを選択する。
このため、ユーザの満足度が一層高くなる歯ブラシをユーザに提供できる。
【００１１】
(７)好ましい例では(１)〜(６)のいずれか一項に記載の歯ブラシの製造方法において、前記印刷工程ではイメージスキャナを用いて前記媒体に設定された前記原案を静止画像情報に変換し、プリンタを用いて前記静止画像情報に含まれる前記デザインを前記歯ブラシの前記グリップに印刷する。
このため、印刷層のデザインの原案を容易に印刷できる。
【００１２】
(８)好ましい例では(７)に記載の歯ブラシの製造方法において、前記印刷層は内層、中間層、および、外層を含み、前記印刷工程では、反転した前記静止画像情報に含まれる前記デザインを前記プリンタを用いて前記印刷層のうちの前記内層のみに印刷する。
内層に印刷されるユーザが作成したデザイン、および、外層に印刷される任意のデザインが表示される歯ブラシを製造できるため、ユーザの満足度が一層高くなる歯ブラシをユーザに提供できる。
【００１３】
(９)好ましい例では(３)を引用する(７)または(８)に記載の歯ブラシの製造方法において、前記印刷工程では、前記媒体の前記枠の外に設定された情報を前記静止画像情報への変換対象から外す。
このため、印刷層のデザインの原案を静止画像情報に好適に変換できる。
【００１４】
(１０)本発明に関する歯ブラシの提供方法は上記(１)〜(９)のいずれか一項に記載の歯ブラシの製造方法によって製造された歯ブラシと、前記媒体、および、前記原案を記録する別の媒体の少なくとも一方を前記対象者に提供する。
対象者は歯ブラシとともに印刷層のデザインの原案をユーザに送ることができるため、ユーザの満足度がより高くなる歯ブラシをユーザに提供できる。
【発明の効果】
【００１５】
本発明に関する歯ブラシの製造方法および歯ブラシの提供方法によれば、ユーザの満足度がより高くなる歯ブラシをユーザに提供できる。
【図面の簡単な説明】
【００１６】
【図１】実施形態の歯ブラシの製造方法によって製造される歯ブラシの正面図。
【図２】図１の歯ブラシの印刷層の層構成の一例を示す断面図。
【図３】媒体提供工程で対象者に提供される設定用媒体の正面図。
【図４】印刷工程で用いられる印刷関連装置の構成を示すブロック図。
【図５】印刷工程で実施される静止画像情報の変換に関する図。
【図６】実施形態の歯ブラシの製造方法の製造工程の一例を示すフローチャート。
【発明を実施するための形態】
【００１７】
図１に示される歯ブラシ１は、ユーザの満足度がより高くなる歯ブラシの一例である。歯ブラシ１を構成する主な要素は本体１０およびブラシ２０である。ブラシ２０は多数のフィラメント束３００の集合体である。
【００１８】
本体１０は透明材料によって構成される。好ましい例では、本体１０は軽量である透明材料によって構成される。軽量である透明材料の一例はポリエチレンテレフタレート(ＰＥＴ)系樹脂などのポリエステル系樹脂、メタクリルスチレン(ＭＳ)樹脂、アクリロニトリルブタジエンスチレン共重合体(ＡＢＳ)系樹脂、アクリロニトリルスチレン共重合体(ＡＳ)系樹脂、ポリプロピレン(ＰＰ)樹脂、メタクリル樹脂などのスチレン系樹脂、および、ポリカーボネート系樹脂である。インクの付着性の点からＰＥＴ系樹脂が最も好ましい。なお、ＰＰ樹脂を使用する場合には、歯ブラシ１に印刷層３０を設ける前に成形後の樹脂表面をフロスト加工することが好ましい。本体１０は例えば射出成形により製造される。
【００１９】
本体１０の全体的な形状は手で握ることに適した細長い棒のような形状である。本体１０はグリップ１１、ネック１２、および、ヘッド１３に区分される。グリップ１１はブラッシング時に手で握るための部分である。ネック１２はヘッド１３とグリップ１１との間に形成された細い部分である。
【００２０】
グリップ１１の表面は歯ブラシ１に対する視点に応じて正面１１Ａ、背面１１Ｂ、および、各側面１１Ｃに区分できる。正面１１Ａは歯ブラシ１の正面視(図１参照)に表れるグリップ１１の表面である。背面１１Ｂは歯ブラシ１の背面視に表れるグリップ１１の表面である。各側面１１Ｃは歯ブラシ１の各側面視に表れるグリップ１１の表面である。なお、正面１１Ａおよび各側面１１Ｃはグリップ１１の形状により一部に重複した部分を含むことがある。また、背面１１Ｂおよび各側面１１Ｃも同様である。図１に例示された歯ブラシ１では、正面１１Ａおよび各側面１１Ｃ、ならびに、背面１１Ｂおよび各側面１１Ｃがそれぞれ一部に重複した部分を含む。
【００２１】
グリップ１１には歯ブラシ１にオリジナル性を付与するための印刷層３０が設けられている。印刷層３０はグリップ１１の被印刷面に印刷される。被印刷面はグリップ１１の正面１１Ａおよび背面１１Ｂの少なくとも一方である。図１に示される例では、被印刷面はグリップ１１の背面１１Ｂである。別の例では、被印刷面はグリップ１１の正面１１Ａ、または、グリップ１１の正面１１Ａおよび背面１１Ｂである。印刷層３０は１または複数のインク層によって構成される。一例では、図２に示されるように、印刷層３０は内層３１、中間層３２、および、外層３３が積層された３層構造を備える。印刷層３０が３層構造を備える場合、内層３１はグリップ１１の正面１１Ａまたは背面１１Ｂに設けられる。図１に示される例では、内層３１はグリップ１１の背面１１Ｂに印刷される。中間層３２は内層３１に積層される。外層３３は中間層３２のうちの内層３１と反対側に積層される。内層３１、中間層３２、および、外層３３の印刷回数はそれぞれ１または複数である。
【００２２】
印刷層３０は対象者が作成した印刷層３０のデザインの原案(以下「原案」という)を表示する。対象者は歯ブラシ１をユーザに贈る者である。ユーザは歯ブラシ１を使用する者である。対象者およびユーザは多種多様である。第１例では、ユーザは祖父または祖母であり、対象者は祖父または祖母の孫である。第２例では、ユーザは父または母であり、対象者は父または母の子である。第３例では、対象者とユーザとが一致する。すなわち、第３例では、対象者自身が使用する歯ブラシ１のデザインの原案を作成する。対象者が作成する原案は多種多様である。典型的な例では、対象者が設定する原案はユーザの似顔絵、ユーザに対するメッセージ、ユーザに関する写真、および、対象者に関する写真の少なくとも１つを含む。印刷層３０が３層構造を備える場合、原案は内層３１に印刷される。中間層３２は内層３１を遮蔽するように設けられる。外層３３は任意のデザインが印刷される。印刷層３０が３層構造を備える場合、歯ブラシ１の正面視において内層３１のデザインを視認でき、歯ブラシ１の背面視において外層３３のデザインを視認できる。
【００２３】
歯ブラシ１の製造方法について説明する。歯ブラシ１の製造方法は媒体提供工程、媒体受取工程、印刷工程、および、納品工程を含む。媒体提供工程は原案を設定する媒体４０(以下「設定用媒体４０」という)を対象者に提供する工程である。設定用媒体４０は任意に選択できる。図３等に示される第１例では、設定用媒体４０は用紙である。このため、対象者が原案を容易に設定できる。第１例の場合、対象者は例えば用紙に原案を記入することによって原案を設定する。第２例では、設定用媒体４０はタッチペン等で原案を設定できるソフトウェアがインストールされたタブレット端末またはスマートフォンである。第２例の場合、対象者はタッチペン等で原案を記入すること、原案の写真および画像をタブレット端末またはスマートフォンに登録すること、ならびに、所定のデザインテンプレートから好みのデザインテンプレートを選択することによって、原案を設定する。第３例では、設定用媒体４０はインターネット回線に接続される対象者が所有するタブレット端末、スマートフォン、および、パーソナルコンピュータに表示される画面である。第３例の場合、例えば対象者はインターネット回線を利用して原案の設定を申し込むことができる。第３例の場合、対象者は原案の写真または画像を登録すること、ならびに、所定のデザインテンプレートから好みのデザインテンプレートを選択することによって、原案を設定する。
【００２４】
図３は設定用媒体４０の一例である用紙の正面図である。設定用媒体４０は原案を設定する範囲を規定する枠４１(以下「原案設定枠４１」という)、および、対象者の個人情報を設定する範囲を規定する枠４２(以下「情報設定枠４２」という)を備える。設定用媒体４０に設けられる原案設定枠４１および情報設定枠４２の数はそれぞれ１または複数である。
【００２５】
原案設定枠４１の形状は任意に選択できる。図３等に示される例では、原案設定枠４１の形状はグリップ１１の被印刷面の形状に対応する長方形である。このため、対象者が原案を設定できる領域を容易に把握できる。さらには、原案がグリップ１１に印刷された状態を対象者が容易にイメージできる。第２例では、原案設定枠４１の形状は円、正方形、または、多角形である。好ましい例では、原案設定枠４１はデザインテンプレート４１Ａを含む。デザインテンプレート４１Ａは例えば、メッセージおよびキャラクターの少なくとも一方を表示する。図３では、原案設定枠４１にデザインテンプレート４１Ａの一例としてのメッセージが表示された例を示している。対象者は鉛筆またはペン等の筆記用具を用いて、原案設定枠４１内に原案を自由に記載できる。情報設定枠４２は原案設定枠４１の下方に設けられる。情報設定枠に設定される対象者の個人情報の一例は、対象者の氏名、性別、住所、および、電話番号である。
【００２６】
媒体受取工程は原案が設定された設定用媒体を対象者から受け取る工程である。印刷工程は設定用媒体４０に設定された原案をグリップ１１の被印刷面に印刷する工程である。図４は印刷工程で使用される装置１００(以下では「印刷関連装置１００」という)の構成を示すブロック図である。
【００２７】
印刷関連装置１００はイメージスキャナ１１０、端末装置１２０、および、プリンタ１３０を含む。イメージスキャナは設定用媒体４０に設定された原案を静止画像情報に変換する。イメージスキャナ１１０は端末装置１２０と通信可能に接続される。イメージスキャナ１１０と端末装置１２０との通信の形態は有線通信または無線通信である。
【００２８】
端末装置１２０の一例はパーソナルコンピュータ、タブレット端末、および、スマートフォンである。図４に示される例では、端末装置１２０はパーソナルコンピュータである。端末装置１２０は記憶装置１２１およびプロセッサ１２２を備える。記憶装置１２１の一例はハードディスクである。記憶装置１２１は原案設定枠４１の外に設定された情報を静止画像情報への変換対象から外すためのアプリケーションソフトウェア(以下「デザイン抽出ソフト」という)を記憶する。
【００２９】
プロセッサ１２２は記憶装置１２１と通信できるように記憶装置１２１と接続されている。プロセッサ１２２が記憶装置１２１に記憶されているデザイン抽出ソフトを実行することにより、プロセッサ１２２の１または複数の機能ブロックが構築される。１または複数の機能ブロックにはデザイン抽出部Ｐ１が含まれる。デザイン抽出部Ｐ１は図５に示されるように、設定用媒体４０の静止画像情報に対して原案設定枠４１の外に設定された情報を遮蔽するような仮想シート２００を含む静止画像情報を重畳することによって、原案設定枠４１の外に設定された情報を静止画像情報への変換対象から外す。原案設定枠４１の外に設定された情報は例えば、原案設定枠４１からはみ出すように設定された原案、および、情報設定枠４２に設定されている対象者の個人情報である。このため、原案を静止画像情報に好適に変換できる。仮想シート２００は抽出枠２１０を含む。抽出枠２１０の形状は例えば、原案設定枠４１よりも若干小さい長方形である。端末装置１２０はプリンタ１３０と通信可能に接続される。端末装置１２０とプリンタ１３０の通信の形態は有線通信または無線通信である。
【００３０】
プリンタ１３０は例えば、インクジェットプリンタである。インクジェットプリンタの一例は株式会社ミマキエンジニアリング社製のＵＪＦ−３０４２ＭｋＩＩである。
【００３１】
納品工程は歯ブラシ１と、設定用媒体４０、および、原案を記録する別の媒体の少なくとも一方とを対象者に提供する工程である。原案を記録する別の媒体は例えば、原案の静止画像情報を記録するコンパクトディスクである。対象者は歯ブラシ１とともに原案をユーザに送ることができるため、ユーザの満足度がより高くなる歯ブラシ１をユーザに提供できる。
【００３２】
図６を参照して、歯ブラシ１の製造方法の手順の一例について説明する。
ステップＳ１１では媒体提供工程が実施される。媒体提供工程では設定用媒体４０が対象者に提供される。媒体提供工程では、異なるデザインテンプレート４１Ａが表示される複数の設定用媒体４０から対象者が任意の設定用媒体４０を選択する。選択した設定用媒体４０を受け取った対象者は原案設定枠４１に原案を設定する。ステップＳ１２では、媒体受取工程が実施される。媒体受取工程では、原案が設定された設定用媒体４０が対象者から回収される。
【００３３】
ステップＳ１３では、印刷工程が実施される。印刷工程では、イメージスキャナ１１０および端末装置１２０を用いて設定用媒体４０に設定された原案、および、デザインテンプレート４１Ａが静止画像情報に変換され、この静止画情報を歯ブラシ１の中心軸ＸＡ(図１参照)に対して１８０度回転させるように反転させた静止画像情報(以下「反転静止画像情報」という)を得る。印刷工程においては、設定用媒体４０の原案設定枠４１の外に設定された情報が静止画像情報への変換対象から外される。次に、プリンタ１３０を用いて反転静止画像情報に含まれる原案およびデザインテンプレート４１Ａが歯ブラシ１のグリップ１１の背面１１Ｂに印刷される。印刷工程では、反転静止画像情報に含まれる原案およびデザインテンプレート４１Ａが印刷層３０のうちの内層３１のみに印刷される。ステップＳ１４では、納品工程が実施される。納品工程では、製造された歯ブラシ１と設定用媒体４０とが対象者に提供される。
【００３４】
歯ブラシ１の製造方法によれば次の効果が得られる。
オリジナリティを有する歯ブラシ１を製造できる。このため、ユーザの満足度がより高くなる歯ブラシ１をユーザに提供できる。
【００３５】
上記実施形態は本発明に関する歯ブラシの製造方法および歯ブラシの提供方法が取り得る形態の例示であり、その形態を制限することを意図していない。本発明に関する歯ブラシの製造方法および歯ブラシの提供方法は実施形態に例示された形態とは異なる形態を取り得る。その一例は、実施形態の構成の一部を置換、変更、もしくは、省略した形態、または、実施形態に新たな構成を付加した形態である。
【符号の説明】
【００３６】
１    ：歯ブラシ
１１  ：グリップ
１１Ｂ：背面(被印刷面)
３０  ：印刷層
４０  ：設定用媒体(媒体)
４１  ：原案設定枠(枠)
４１Ａ：デザインテンプレート
１１０：イメージスキャナ
１３０：プリンタ
【図１】
2020000711.tif 000003
【図２】
2020000711.tif 000004
【図３】
2020000711.tif 000005
【図４】
2020000711.tif 000006
【図５】
2020000711.tif 000007
【図６】
2020000711.tif 000008